(57)【要約】【課題】  引込線が碍子に固定された状態においても、支持体と碍子とに容易に取り付けることができる引込線支持具を提供する。【解決手段】  取付孔６１に先端側から差し入れられる差入部１１ａと、差入部１１ａが取付孔６１から抜け出るのを防止すべく、取付孔６１から突出する差入部１１ａの先端側を掛止する掛止部１１ｂとを備え、掛止部１１ｂは、差入部１１ａを掛止する状態と、当該掛止を解除する状態とに切り替え可能に構成されることを特徴とする。【選択図】  図６
2010220375.tif 000002
【特許請求の範囲】
【請求項１】
引込線を固定する碍子を支持体で支持させるべく、碍子に取り付けられる碍子取付部と、支持体に取り付けられる支持体取付部とを備え、碍子と支持体とを接続する引込線支持具において、
碍子取付部は、碍子に設けられる取付孔に先端側から差し入れられる差入部と、差入部が取付孔から抜け出るのを防止すべく、取付孔から突出する差入部の先端側を掛止する掛止部とを備え、
掛止部は、差入部を掛止する状態と、当該掛止を解除する状態とに切り替え可能に構成されることを特徴とする引込線支持具。
【請求項２】
引込線を固定する碍子を支持体で支持させるべく、碍子に取り付けられる碍子取付部と、支持体に取り付けられる支持体取付部とを備え、碍子と支持体とを接続する引込線支持具において、
支持体取付部は、支持体に設けられる取付孔に先端側から差し入れられる差入部と、差入部が取付孔から抜け出るのを防止すべく、取付孔から突出する差入部の先端側を掛止する掛止部とを備え、
掛止部は、差入部を掛止する状態と、当該掛止を解除する状態とに切り替え可能に構成されることを特徴とする引込線支持具。
【請求項３】
一本の金属線から形成され、金属線の一端部側で差入部を構成し、金属線の他端部側で掛止部を構成する請求項１又は２に記載の引込線支持具。
【発明の詳細な説明】
【技術分野】
【０００１】
本発明は、引込線を固定する碍子を支持体で支持させるべく、碍子と支持体とを接続する引込線支持具に関する。
【背景技術】
【０００２】
従来、引込線を支持する方法として、図１０に示すように、引込線を固定する碍子６と、碍子６を支持体７に接続することにより、碍子６を支持体７で支持させる引込線支持具９とにより、引込線を支持する方法が知られている。斯かる引込線支持具９は、碍子６に取り付けられる碍子取付部９１と、支持体７に取り付けられる支持体取付部９２とを備え、碍子取付部９１及び支持体取付部９２は、金属線でリング状となるように形成されている（例えば、特許文献１及び２）。
【０００３】
そして、斯かる引込線支持具９においては、支持体取付部９２が支持体７の取付孔７１に先端側から挿入された後に、引込線支持具９は、支持体取付部９２がリング状に形成される方向(図１０（ａ）におけるＢ矢印方向）に沿って、支持体７に対して相対的に（少なくとも１８０°）回転変位される。これにより、支持体取付部９２が取付孔７１に挿通した状態となるため、支持体取付部９２が取付孔７１に取り付けられることになる。
【０００４】
また、引込線が碍子６に固定されていない状態においては、図１０（ｂ）に示すように、碍子６は、碍子取付部９１がリング状に形成される方向（図１０（ｂ）におけるＣ矢印方向）に沿って、引込線支持具９に対して相対的に（少なくとも１８０°）回転変位される。これにより、碍子取付部９１が碍子６の取付孔６１に挿通した状態となるため、碍子取付部９１が取付孔６１に取り付けられることになる。
【先行技術文献】
【特許文献】
【０００５】
【特許文献１】実開昭５６−７３１２６号公報
【特許文献２】実開昭５９−４７２２３号公報
【発明の概要】
【発明が解決しようとする課題】
【０００６】
しかしながら、引込線が碍子６に固定されている場合、例えば、碍子６を支持していた既設の支持体７を交換する場合等においては、上記（図１０）のように、引込線支持具９を、碍子６や支持体７に取り付けることができない場合がある。具体的には、まず引込線支持具９を支持体７に取り付けた場合においては、碍子６が引込線により引っ張られ、且つ、引込線支持具９が支持体７に取り付けられているため、引込線支持具９と碍子６とを十分に相対的に回転変位させることができない。
【０００７】
他方、まず引込線支持具９を碍子６に取り付けた場合においては、碍子６及び引込線支持具９が引込線により引っ張られているため、引込線支持具９を支持体７に対して十分に相対的に回転変位させることができない。そして、このような場合には、引込線を碍子６から取り外す必要があるため、斯かる作業が煩雑となり、しかも、停電を伴う作業になった場合には、さらに非効率的である。
【０００８】
よって、本発明は、かかる事情に鑑み、引込線が碍子に固定された状態においても、支持体と碍子とに容易に取り付けることができる引込線支持具を提供することを課題とする。
【課題を解決するための手段】
【０００９】
本発明に係る引込線支持具は、引込線を固定する碍子を支持体で支持させるべく、碍子に取り付けられる碍子取付部と、支持体に取り付けられる支持体取付部とを備え、碍子と支持体とを接続する引込線支持具において、碍子取付部は、碍子に設けられる取付孔に先端側から差し入れられる差入部と、差入部が取付孔から抜けるのを防止すべく、取付孔から突出する差入部の先端側を掛止する掛止部とを備え、掛止部は、差入部を掛止する状態と、当該掛止を解除する状態とに切り替え可能に構成されることを特徴とする。
【００１０】
本発明に係る引込線支持具によれば、掛止部は、差入部を掛止する状態と、当該掛止を解除する状態とに切り替えることができる。これにより、掛止部が差入部の掛止を解除する状態で、碍子に設けられる取付孔に差入部が先端側から差し入れられる。そして、掛止部が取付孔から突出する差入部の先端側を掛止することにより、差入部が取付孔から抜け出るのを防止できる。
【００１１】
また、本発明に係る引込線支持具は、引込線を固定する碍子を支持体で支持させるべく、碍子に取り付けられる碍子取付部と、支持体に取り付けられる支持体取付部とを備え、碍子と支持体とを接続する引込線支持具において、支持体取付部は、支持体に設けられる取付孔に先端側から差し入れられる差入部と、差入部が取付孔から抜け出るのを防止すべく、取付孔から突出する差入部の先端側を掛止する掛止部とを備え、掛止部は、差入部を掛止する状態と、当該掛止を解除する状態とに切り替え可能に構成されることを特徴とする。
【００１２】
本発明に係る引込線支持具によれば、掛止部は、差入部を掛止する状態と、当該掛止を解除する状態とに切り替えることができる。これにより、掛止部が差入部の掛止を解除する状態で、支持体に設けられる取付孔に差入部が先端側から差し入れられる。そして、掛止部が取付孔から突出する差入部の先端側を掛止することにより、差入部が取付孔から抜け出るのを防止できる。
【００１３】
また、本発明に係る引込線支持具においては、一本の金属線から形成され、金属線の一端部側で差入部を構成し、金属線の他端部側で掛止部を構成してもよい。
【００１４】
斯かる構成の引込線支持具によれば、一本の金属線の一端部側で差入部が構成されると共に、一本の金属線の他端部側で掛止部が構成される。これにより、構成が簡易であり、製作コストを低減することもできる。
【発明の効果】
【００１５】
以上の如く、本発明に係る引込線支持具によれば、引込線が碍子に固定された状態においても、支持体と碍子とに容易に取り付けることができるという優れた効果を奏する。
【図面の簡単な説明】
【００１６】
【図１】本発明の一実施形態に係る引込線支持具の全体図であって、取り付けられた状態の正面図を示す。
【図２】同実施形態に係る引込線支持具の全体図であって、取り付けられた状態の平面図を示す。
【図３】同実施形態に係る引込線支持具の全体図であって、（ａ）は正面図、（ｂ）は掛止部が差入部を掛止した状態の平面図、（ｃ）は掛止部が当該掛止を解除した状態の平面図を示す。
【図４】同実施形態に係る引込線支持具の取り付けられる状況を説明する全体図であって、（ａ）は正面図、（ｂ）は平面図を示す。
【図５】同実施形態に係る引込線支持具の取り付けられる状況を説明する全体図であって、（ａ）は正面図、（ｂ）は平面図を示す。
【図６】同実施形態に係る引込線支持具の取り付けられる状況を説明する全体図であって、（ａ）は正面図、（ｂ）は平面図を示す。
【図７】本発明の他の実施形態に係る引込線支持具の全体図であって、（ａ）は正面図、（ｂ）は平面図を示す。
【図８】本発明のさらに他の実施形態に係る引込線支持具の全体図であって、（ａ）は正面図、（ｂ）は平面図を示す。
【図９】本発明のさらに他の実施形態に係る引込線支持具の全体図であって、（ａ）は正面図、（ｂ）は平面図を示す。
【図１０】従来における引込線支持具の取り付けられる状況を説明する全体図であって、（ａ）及び（ｂ）はそれぞれ正面図を示す。
【発明を実施するための形態】
【００１７】
以下、本発明に係る引込線支持具における一実施形態について、図１〜図６を参酌して説明する。なお、図１〜図６において、図１０の符号と同一の符号を付した部分は、従来技術と同一の構成又は要素を表す。
【００１８】
図１〜図３に示すように、本実施形態に係る引込線支持具１は、引込線５を固定する碍子６を支持体７で支持させるべく、碍子６に取り付けられる碍子取付部１１と、支持体７に取り付けられる支持体取付部１２とを備え、碍子６と支持体７とを接続する。ここで、引込線支持具１の各構成を説明するのに先立って、碍子６及び支持体７について説明する。
【００１９】
碍子６は、引込線支持具１に取り付けられるための取付孔６１と、引込線５を固定すべく、本体部６２から突出する突出部６３，…とを備える。そして、碍子６は、突出部６３，…に引込線５を巻き付けることにより、引込線５を固定する。また、取付孔６１は、長穴状に形成されている。なお、碍子６は、一般的に、バンドレス碍子や、平型碍子と呼ばれている。
【００２０】
支持体７は、引込線支持具１に取り付けられるための取付孔７１を備える。そして、支持体７は、引込線５が引き込まれる建物８に固定されている。なお、支持体７は、本実施形態のように、リング状の金具である場合に限られず、例えば、各種の型鋼（山形鋼、Ｈ鋼等）や管材等でもよい。要するに、支持体７は、建物８に固定され又は一体的に形成され、且つ、引込線支持具１に取り付けられるための取付孔７１を備えていればよい。
【００２１】
碍子取付部１１は、碍子６の取付孔６１に先端側から差し入れられる差入部１１ａを備える。また、碍子取付部１１は、差入部１１ａが碍子６の取付孔６１から抜け出るのを防止すべく、碍子６の取付孔６１から突出する差入部１１ａの先端側を掛止する掛止部１１ｂを備える。そして、碍子取付部１１は、掛止部１１ｂが差入部１１ａを掛止する状態にて、環状（無端状）に構成される。
【００２２】
差入部１１ａは、円弧状に形成される。そして、差入部１１ａの先端部は、フック状に形成される。また、差入部１１ａは、先端側が碍子６の取付孔６１から突出すべく、高さ寸法が碍子６の高さ寸法よりも大きく形成される。
【００２３】
掛止部１１ｂの先端部は、フック状に形成され、差入部１１ａにおけるフック状に形成される先端部を掛止する。そして、掛止部１１ｂは、差入部１１ａと一体的に形成されると共に、差入部１１ａに対して接離可能（相対的に変位可能）に構成される。これにより、掛止部１１ｂは、差入部１１ａを掛止する状態と、当該掛止を解除する状態とに切り替え可能に構成される。
【００２４】
また、掛止部１１ｂの幅寸法は、碍子６の取付孔６１の内幅寸法よりも大きく形成される。これにより、掛止部１１ｂが差入部１１ａを掛止する状態において、差入部１１ａが碍子６に対して相対的に変位した場合でも、掛止部１１ｂが碍子６の本体部６２を係止することにより、差入部１１ａが取付孔６１から抜け出るのを防止できる。
【００２５】
支持体取付部１２は、環状（無端状）に構成される。そして、支持体取付部１２は、支持体７の取付孔７１に挿通可能に構成される。
【００２６】
なお、引込線支持具１は、一本の金属線から形成され、金属線の一端部側で差入部１１ａを構成し、金属線の他端部側で掛止部１１ｂを構成する。そして、引込線支持具１は、中間部で金属線を交差させることにより、一方側に環状（無端状）の碍子取付部１１ａを配置し、他方側に環状（無端状）の支持体取付部１１ｂを配置している。
【００２７】
本実施形態に係る引込線支持具１の構成については以上の通りであり、次に、本実施形態に係る引込線支持具１の取り付け方法について図４〜図６を参酌して説明する。なお、図４〜図６においては、引込線５を図示していないが、以下、引込線５が碍子６に固定されているものとして説明する。
【００２８】
まず、差入部１１ａ又は掛止部１１ｂを支持体７の取付孔７１に差し入れ、引込線支持具１を支持体７に対して相対的に変位する。そうすると、図４に示すように、環状の支持体取付部１２が支持体７の取付孔７１に挿通した状態となるため、支持体取付部１２が支持体７を掛止可能な状態となる。このとき、掛止部１１ｂは、差入部１１ａを掛止しておらず、離間して配置されている。
【００２９】
次に、引込線支持具１を碍子６に対して相対的に変位させ、図５に示すように、差入部１１ａを先端側から碍子６の取付孔６１に差し入れる。そして、差入部１１ａを碍子６の取付孔６１に挿通させ、差入部１１ａの先端側を碍子６の取付孔６１から突出（臨出）させる。
【００３０】
その後、図６に示すように、掛止部１１ｂが差入部１１ａの先端側を掛止するように、掛止部１１ｂを差入部１１ａに接近させる。そうすると、環状の碍子取付部１１が碍子６の取付孔６１に挿通した状態となるため、碍子取付部１１が碍子６を掛止可能な状態となる。このとき、引込線５が布設される方向（図６におけるＡ矢印方向）に碍子６が引っ張られるため、掛止部１１ｂが差入部１１ａをさらに強固に掛止することになる。
【００３１】
以上より、本実施形態に係る引込線支持具１は、掛止部１１ｂが差入部１１ａに接離することにより、掛止部１１ｂが差入部１１ａを掛止する状態と、当該掛止を解除する状態とに切り替えることができるため、掛止部１１ｂが差入部１１ａの掛止を解除する状態で、差入部１１ａが碍子６の取付孔６１に先端側から差し入れられる。
【００３２】
そして、掛止部１１ｂが碍子６の取付孔６１から突出する差入部１１ａの先端側を掛止することにより、差入部１１ａが碍子６の取付孔６１から抜け出るのを防止できる。したがって、引込線５が碍子６に固定された状態においても、碍子６と支持体７とに容易に取り付けることができる。
【００３３】
また、本実施形態に係る引込線支持具１は、一本の金属線から形成され、金属線の一端部側で差入部１１ａが構成されると共に、金属線の他端部側で掛止部１１ｂが構成されているため、構成が簡易であり、製作コストを低減することもできる。
【００３４】
なお、本発明に係る引込支持具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３５】
例えば、上記実施形態に係る引込線支持具１においては、碍子取付部１１の差入部１１ａの先端部が円弧状に沿ってフック状に形成される場合を説明したが、斯かる場合に限られない。例えば、図７に示すように、引込線支持具２の碍子取付部２１は、円弧状に形成される差入部２１ａを備え、差入部２１ａは、先端部が円弧状に形成される面と直交する方向（横方向）に屈曲して形成される場合でもよい。
【００３６】
斯かる構成の引込線支持具２によれば、差入部２１ａの先端が碍子６に衝突（当接）することを防止できるため、碍子６が損傷することを確実に防止できる。なお、碍子取付部２１の掛止部２１ｂは、下方側（又は上方側）に屈曲して形成されている。
【００３７】
また、上記実施形態に係る引込線支持具１においては、差入部１１ａ及び掛止部１１ｂが碍子取付部１１に設けられる場合を説明したが、斯かる場合に限られない。例えば、図８に示すように、引込線支持具３は、差入部３２ａ及び掛止部３２ｂが支持体取付部３２に設けられる場合でもよい。
【００３８】
具体的には、引込線支持具３は、碍子６に取り付けられる碍子取付部３１と、支持体７に取り付けられる支持体取付部３２とを備え、支持体取付部３２は、支持体７の取付孔７１に先端側から差し入れられる差入部３２ａと、差入部３２ａが支持体７の取付孔７１から抜け出るのを防止すべく、取付孔７１から突出する差入部３２ａの先端側を掛止する掛止部３２ｂとを備える。
【００３９】
さらに、例えば、図９に示すように、引込線支持具４は、碍子６に取り付けられる碍子取付部４１と、支持体７に取り付けられる支持体取付部４２とを備え、碍子取付部４１は、碍子６の取付孔６１に先端側から差し入れられる差入部４１ａと、碍子６の取付孔６１から突出する差入部６１ａの先端側を掛止する掛止部６１ｂとを備え、支持体取付部４２は、支持体７の取付孔７１に先端側から差し入れられる差入部４２ａと、支持体７の取付孔７１から突出する差入部４２ａの先端側を掛止する掛止部４２ｂとを備える場合でもよい。
【００４０】
また、上記実施形態に係る引込線支持具１は、一本の金属線で形成される場合を説明したが、斯かる場合に限られない。例えば、引込線支持具は、複数の金属線で形成される場合でもよく、また、他の形状の金属材で形成される場合でもよい。要するに、本発明に係る引込線支持具は、材料やその数量に限定されることはない。
【符号の説明】
【００４１】
１…引込線支持具、５…引込線、６…碍子、７…支持体、１１…碍子取付部、１１ａ…差入部、１１ｂ…掛止部、１２…支持体取付部、６１…（碍子の）取付孔、７１…（支持体の）取付孔
【図１】
2010220375.tif 000003
【図２】
2010220375.tif 000004
【図３】
2010220375.tif 000005
【図４】
2010220375.tif 000006
【図５】
2010220375.tif 000007
【図６】
2010220375.tif 000008
【図７】
2010220375.tif 000009
【図８】
2010220375.tif 000010
【図９】
2010220375.tif 000011
【図１０】
2010220375.tif 000012